(57)【要約】【課題】雷サージ電圧の除去と絶縁耐圧・漏れ電流対策を、少ない回路部品で安価に省スペースで行うこと。【解決手段】商用電源から供給されるＡＣ入力線と力率改善・整流回路部間に接続されたコモンモードのラインフィルタＬ１と、このラインフィルタと直列に接続された力率改善用リアクタＬ２を有し、前記ＡＣ入力線上の全てのインダクタ部品の同一巻線端子間にアレスタＡ１、Ａ２、Ａ３を挿入し、ＡＣ入力線のインダクタに高いサージ電圧が誘起した場合、そのサージ電圧を放電することにより抑圧する。【選択図】図１
2010098872.tif 000002
【特許請求の範囲】
【請求項１】
商用電源から供給されるＡＣ入力線と力率改善・整流回路部間に接続されたコモンモードのラインフィルタと、このラインフィルタと直列に接続された力率改善用リアクタを有し、前記ＡＣ入力線上の全てのインダクタ部品の同一巻線端子間にアレスタが挿入されていることを特徴とする空気調和機の雷サージ保護回路。
【請求項２】
商用電源から供給されるＡＣ入力線と力率改善・整流回路部間に接続されたコモンモードのラインフィルタと、このラインフィルタと直列に接続された力率改善用リアクタを有し、前記ラインフィルタの力率改善用リアクタの入っていないラインの同一巻線端子間および前記ラインフィルタの力率改善用リアクタの入っているラインの電源側端子と前記力率改善用リアクタの負荷側端子間に各々アレスタが挿入されていることを特徴とする空気調和機の雷サージ保護回路。
【請求項３】
商用電源から供給されるＡＣ入力線と力率改善・整流回路部間に接続されたコモンモードのラインフィルタと、このラインフィルタと直列に接続された力率改善用リアクタを有し、前記ラインフィルタの力率改善用リアクタの入っているラインの電源側端子と前記力率改善用リアクタの負荷側端子間にのみアレスタが挿入されていることを特徴とする空気調和機の雷サージ保護回路。
【発明の詳細な説明】
【技術分野】
【０００１】
本発明は、空気調和機をサージ電圧から保護するための雷サージ保護回路に関するものである。
【背景技術】
【０００２】
電子機器は、雷サージ電圧やインパルス性ノイズによって、誤動作や破損を招く場合がある。雷サージは、数千Ｖの過大なサージ電圧がＡＣラインに重畳され、機器内に侵入することがある。この雷サージは、外部の電力線から電子機器内に入力されるコモンモード（同一巻線）の外来サージであり、その過大なサージ電圧により整流回路などの電源回路が破損してしまう場合がある。そこでサージ吸収素子であるサージアブソーバー（バリスタ、アレスタなど）を挿入することにより、侵入した雷サージ電圧の吸収、又は放電を行ない、電源回路の保護をする。
【０００３】
図４に示した回路ブロックは、一般的な雷サージ対策で、雷による過大なサージ電圧がＡＣラインに重畳された場合に、ＡＣライン１に印加されたサージ電圧はバリスタＢ１、Ｂ２、Ｂ３で、またＡＣライン２に印加されたサージ電圧はバリスタＢ２、Ｂ３、Ｂ４で短絡し、その放電電流はアースに流すことにより電源回路の保護をするようにしている。
【特許文献１】実開平１−９６７３８号公報
【特許文献２】実開昭６３−１４９１５２号公報
【発明の開示】
【発明が解決しようとする課題】
【０００４】
しかしながら、図４に示した回路ブロックのような雷サージ対策を施した場合、雷サージ電圧をグランド側に逃がすことによって、機器内に侵入することを防止できるが、このような回路ブロックを構成する為には、回路部品数が多く必要である為、コスト上昇、及び基板上における実装スペースを多く必要とする。
【０００５】
特に従来の図４に示した回路ブロックの場合、各バリスタが商用電源に対して直列に挿入されることになるので、サージ電圧の除去効果は得られるが、絶縁耐圧を保つことが困難であり、バリスタＢ１、Ｂ２、Ｂ３、Ｂ４などを流れる漏れ電流を絶縁することができないため、ノイズ対策が不十分であった。
【０００６】
本発明は上記従来の課題を解決するもので、雷サージ電圧の除去と絶縁耐圧・漏れ電流対策を、少ない回路部品で安価に省スペースで行うことを目的とする。
【課題を解決するための手段】
【０００７】
本発明は、前記従来の課題を解決するために、ＡＣ入力線に重畳される雷サージ電圧を除去する電子機器の雷サージ保護回路において、商用電源から供給されるＡＣ入力線と力率改善・整流回路部間に接続されたコモンモードのラインフィルタと、このラインフィルタと直列に接続された力率改善用リアクタを有し、前記ＡＣ入力線上の全てのインダクタ部品の同一巻線端子間にアレスタを挿入し、ＡＣ入力線のインダクタに高いサージ電圧が誘起した場合、そのサージ電圧を放電することにより抑圧するように構成されている。
【発明の効果】
【０００８】
ＡＣ入力線上のラインフィルタや力率改善リアクタ等のインダクタ部品の同一巻線端子間にアレスタを挿入することにより、雷サージ電圧の抑圧を行なうことができるようになると共に、漏れ電流の絶縁も行なうことができるようになる。また従来よりも雷サージ保
護回路部品数が減る為、コストダウン、及び、実装スペースが少なくて済む。
【発明を実施するための最良の形態】
【０００９】
第１の発明は、商用電源から供給されるＡＣ入力線と力率改善・整流回路部間に接続されたコモンモードのラインフィルタと、このラインフィルタと直列に接続された力率改善用リアクタを有し、前記ＡＣ入力線上の全てのインダクタ部品の同一巻線端子間にアレスタを挿入することにより、従来の構成に比べて雷サージ保護回路部品数が少なく、コストダウン、及び、実装スペースを小さくすることができる。また、絶縁耐圧対策及びバリスタによる漏れ電流がなくなり、ＥＭＩフィルタの漏れ電流の軽減ができる。
【００１０】
第２の発明は、前記ラインフィルタの力率改善用リアクタの入っていないラインの同一巻線端子間および前記ラインフィルタの力率改善用リアクタの入っているラインの電源側端子と前記力率改善用リアクタの負荷側端子間に各々アレスタを挿入することにより、第１の発明に対し更に雷サージ保護回路部品数を減らし、コスト及び基板への実装スペースを減らすことが出来る。
【００１１】
第３の発明は、前記ラインフィルタの力率改善用リアクタの入っているラインの電源側端子と前記力率改善用リアクタの負荷側端子間にのみアレスタを挿入することにより、第２の発明に対しさらに雷サージ保護回路部品数を減らし、コスト及び基板実装スペースを減らすことができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における回路ブロック図である。アレスタＡ１、Ａ２、Ａ３をＡＣ入力線上のインダクタ部品Ｌ１，Ｌ２の同一巻線端子間にそれぞれ挿入した例である。このような回路ブロックにおいて、雷による過大なサージ電圧がＡＣ入力線１、２から機器内部に侵入すると、ＡＣ入力線上に挿入されているインダクタ部品の同一巻線端子間に極めて高い誘起電圧が発生し、この誘起電圧が機器内部のアース電位との間で放電し、そのスパークにより、電装部品、特に半導体素子が破壊される。
【００１４】
しかし、本発明の場合は、アレスタＡ１、Ａ２、Ａ３によってＡＣ入力線上に挿入されているインダクタ部品の同一巻線端子間に発生する極めて高い誘起電圧が抑制され、機器内部で放電（アース側）することを防止する。ＡＣ入力線上のインダクタ部品の同一巻線端子間の前後に誘起するサージ電圧は、アレスタＡ１、Ａ２、Ａ３の放電開始電圧以下に抑制され、電子機器内部においては絶縁破壊を保護することができる。
【００１５】
（実施の形態２）
図２は、本発明の実施の形態２における回路ブロック図である。アレスタＡ１を、ＡＣラインの同一線上に挿入されているそれぞれのインダクタ部品Ｌ１とＬ２とを合わせ一つの合成インダクタ部品と考え、ラインフィルタの力率改善用リアクタの入っているラインの電源側端子と力率改善用リアクタの負荷側端子間に挿入し、また、アレスタＡ２をラインフィルタの力率改善用リアクタの入っていないラインの同一巻線端子間に挿入した例である。
【００１６】
このような回路ブロックにおいて、実施の形態１と同等な雷サージ電圧に対する効果があると共に、実施の形態１に比べアレスタの挿入数が少なくなる為、コスト及び基板実装スペースをさらに減らすことができる。
【００１７】
（実施の形態３）
図３は、本発明の実施の形態３における回路ブロック図である。アレスタＡ１を、ライブ線の同一線上に挿入されているそれぞれのインダクタ部品Ｌ１とＬ２とを合わせ一つの合成インダクタ部品と考え、その合成インダクタであるラインフィルタの力率改善用リアクタの入っているラインの電源側端子と前記力率改善用リアクタの負荷側端子間にのみ挿入した例である。
【００１８】
このような回路ブロックにおいて、実施の形態２と同等な雷サージ電圧に対する効果があると共に、実施の形態２に比べ、アレスタの挿入数が少なくなる為、コスト及び基板実装スペースをさらに減らすことができる。
【産業上の利用可能性】
【００１９】
この発明は、ＡＣ入力線上のインダクタ部品の同一巻線端子間にアレスタを挿入することにより、雷サージ電圧から電子機器の電装品を保護すると共に、漏れ電流の絶縁も行なうことができるので、空気調和機に限らず特に冷蔵庫、ビデオ／ＤＶＤ等常時通電される他の電子機器にも広く適用できる。
【図面の簡単な説明】
【００２０】
【図１】本発明の電子機器の雷サージ保護回路の一実施例を示す回路ブロック図
【図２】本発明の電子機器の雷サージ保護回路の第２の実施例を示す回路ブロック図
【図３】本発明の電子機器の雷サージ保護回路の第３の実施例を示す回路ブロック図
【図４】従来の電子機器の雷サージ保護回路の一例を示す回路ブロック図
【符号の説明】
【００２１】
１  ＡＣライン１
２  ＡＣライン２
３  ヒューズ
４  商用電源
５  力率改善・整流回路部
６  スイッチング電源
Ｌ１  ラインフィルタ
Ｌ２  力率改善用リアクタ
Ｃ  コンデンサ
Ｂ１、Ｂ２、Ｂ３、Ｂ４  バリスタ
Ａ１、Ａ２、Ａ３  アレスタ
【図１】
2010098872.tif 000003
【図２】
2010098872.tif 000004
【図３】
2010098872.tif 000005
【図４】
2010098872.tif 000006